(57)【特許請求の範囲】
【請求項１】
被写体像を撮像し、画像データを出力する撮像手段と、
第１フォルダを記録媒体に作成する第１フォルダ作成手段と、
前記画像データを前記第１フォルダに記録する記録手段と、
前記第１フォルダに記録された画像データが所定数に達したとき、第２フォルダを前記記録媒体に作成する第２フォルダ作成手段と、
前記所定数を変更する変更手段とを備えること
を特徴とするデジタルカメラ。
【請求項２】
請求項１に記載のデジタルカメラにおいて、
前記第１フォルダに既に記録された画像データに付与された最大値に連続する数値を、前記第１フォルダに記録される画像データに付与する付与手段を更に備え、
前記変更手段は、前記付与手段が付与可能な数値の上限値を変更することで前記所定数を変更すること
を特徴とするデジタルカメラ。
【請求項３】
請求項１又は請求項２に記載のデジタルカメラにおいて、
前記第１フォルダ作成手段は、第１の数値と使用者により任意に指定された名称とから構成される第１フォルダ名の前記第１フォルダを前記記録媒体に作成し、
前記第２フォルダ作成手段は、前記第１の数値と重複しない第２の数値と前記第１フォルダ名の名称として使用者に任意に指定された名称とからなる第２フォルダ名の前記第２フォルダを前記記録媒体に作成すること
を特徴とするデジタルカメラ。
【発明の詳細な説明】
【技術分野】
【０００１】
本発明は、デジタルカメラに関する。
【背景技術】
【０００２】
従来から、撮影レンズを通過する被写体像を撮像して画像データを出力するＣＣＤのような撮像装置と、撮像装置から出力される画像データに対してホワイトバランスやγ補正などの画像処理を施す画像処理回路と、画像処理後のデータをＪＰＥＧなどの方式で圧縮してフラッシュメモリなどの記録媒体に記憶する圧縮回路と、画像処理後のデータを表示するモニタとを備えたデジタルスチルカメラが知られている。このようなデジタルスチルカメラでは、圧縮処理後の画像データを記録媒体に記録する際、画像データに対して撮影した順に番号を付与して、この番号とともに画像データを記録媒体に記録している。
【発明の開示】
【発明が解決しようとする課題】
【０００３】
本発明は、画像データの分類、整理作業をしやすいデジタルカメラを提供するものである。
【課題を解決するための手段】
【０００４】
本発明によるデジタルカメラは、被写体像を撮像し、画像データを出力する撮像手段と、第１フォルダを記録媒体に作成する第１フォルダ作成手段と、前記画像データを前記第１フォルダに記録する記録手段と、前記第１フォルダに記録された画像データが所定数に達したとき、第２フォルダを前記記録媒体に作成する第２フォルダ作成手段と、前記所定数を変更する変更手段とを備えることを特徴とする。
【発明の効果】
【０００５】
本発明によれば、画像データの分類、整理作業をしやすいデジタルカメラを提供することができる。
【発明を実施するための最良の形態】
【０００６】
以下、図面を参照して本発明を実施するための最良の形態について説明する。
図１は、本発明の一実施の形態によるデジタルスチルカメラの収納時、および携帯時の外観を示し、(a)が上から見た図、(b)が後ろから見た図である。また、図２は図１に示したカメラの通常撮影時の外観を示し、(a)が前から見た図、(b)が上から見た図、(c)が後ろから見た図である。この実施の形態によるデジタルスチルカメラ１は、撮影ズームレンズ２を含むレンズユニット１ａとＬＣＤモニター３を含むモニターユニット１ｂとに分割され、両ユニット１ａ、１ｂが相対的に回転可能に連結されている。
【０００７】
収納時または携帯時には、図１に示すように、レンズユニット１ａとモニターユニット１ｂとがフラットになるようにレンズユニット１ａを回転する。また、通常撮影時には、図２に示すように、撮影ズームレンズ２が被写体方向を向くようにレンズユニット１ａを回転する。このとき、モニターユニット１ｂはＬＣＤモニター３が撮影者の方向を向くように保持されるので、撮影者はＬＣＤモニター３を見ながら撮影を行うことができる。
【０００８】
レンズユニット１ａは、撮影ズームレンズ２の他に電子閃光装置４、ファインダー窓５、赤目軽減・セルフタイマー表示ランプ６、ファインダー接眼窓７などを備えている。一方、モニターユニット１ｂは、ＬＣＤモニター３の他にメインスイッチ８、レリーズボタン９、表示パネル１０、閃光撮影モードボタン１１、ＡＦモードボタン１２、画質モードボタン１３、ズーム切換ボタン１４、モニターボタン１５、メニューボタン１６、選択ダイヤル１７などを備えている。
【０００９】
図３は、この実施の形態によるデジタルスチルカメラ１の回路ブロックを示す図である。ＣＰＵ２１にはレリーズボタン９に連動する半押しスイッチ２２と全押しスイッチ２３（以下、レリーズスイッチ２３と呼ぶ）から半押し信号と全押し信号がそれぞれ入力される。半押しスイッチ２２が操作されて半押し信号が入力されると、ＣＰＵ２１からの指令により焦点検出／調整装置３６が撮影ズームレンズ２の焦点検出状態を検出し、撮影ズームレンズ２に入射する被写体光が撮像装置であるＣＣＤ２６上で結像するように撮影ズームレンズ２を合焦位置へ駆動する。また、タイミングジェネレータ２４とドライバ２５を介してＣＣＤ２６が駆動制御される。そして、タイミングジェネレータ２４によりアナログ処理回路２７とＡ／Ｄ変換回路２８の動作タイミングが制御される。
【００１０】
ズーム切換ボタン１４が操作されると、ＣＰＵ２１からの指令によりズームレンズ駆動装置３７が撮影ズームレンズ２を駆動し、焦点距離を変化させる。ズームボタン１４はシーソー形のスイッチからなり、望遠側（Ｔ）と広角側（Ｗ）のうち、いずれか押されている側に焦点距離が移動される。測光装置３８は、被写体の輝度を測定するもので、ＣＰＵ２１に対してレリーズボタン９に連動する半押しスイッチ２２より半押し信号が入力されたときに測光を行う。
【００１１】
半押しスイッチ２２のオン操作に引続いてレリーズスイッチ２３がオン操作されると、測光装置３８による測光結果と閃光撮影モードボタン１１によりあらかじめ設定されたモード設定とに応じて閃光装置４が発光する。撮影ズームレンズ２からの被写体光はＣＣＤ２６の受光面上で結像し、ＣＣＤ２６には被写体像の明るさに応じた信号電荷が蓄積される。ＣＣＤ２６に蓄積された信号電荷はドライバ２５により吐き出され、ＡＧＣ回路やＣＤＳ回路などを含むアナログ信号処理回路２７に入力される。アナログ信号処理回路２７でアナログ画像信号に対してゲインコントロール、雑音除去等のアナログ処理が施された後、Ａ／Ｄ変換回路２８によってデジタル信号に変換される。デジタル変換された信号は、たとえば、ＡＳＩＣとして構成される画像処理回路２９に導かれ、そこで輪郭補償、ガンマ補正等の画像前処理が行われて一旦バッファメモリ３０に格納される。そして、ＣＰＵ２１とバッファメモリ３０との間で画像データの授受を行って、格納されている画像データからホワイトバランス調整値を求め、この調整値に基づいて画像処理回路２９でホワイトバランス調整が行われ、再びバッファメモリ３０へ格納される。
【００１２】
このような画像前処理が行なわれた画像データに対してはさらに、ＪＰＥＧ圧縮のためのフォーマット処理（画像後処理）が行なわれ、その後、その画像データはバッファメモリ３０に一時的に格納される。
【００１３】
バッファメモリ３０に記憶された画像データは、表示画像作成回路３１により表示用の画像データに処理され、ＬＣＤモニター３に撮影結果として表示される。また、バッファメモリ３０に記憶された画像データは、圧縮回路３２によりＪＰＥＧ方式で所定の比率にデータ圧縮を受け、所定のデータ名を付与されてリアルタイムクロック３５からのタイム情報とともに、フラッシュメモリ等の記録媒体（ＰＣカード、ＣＦカードなど）３４に記録される。
【００１４】
この他、ＣＰＵ２１には表示パネルドライバー３３が接続され、閃光撮影モードボタン１１による閃光装置４の発光モード設定、ＡＦモードボタン１２による距離範囲設定、画質モードボタン１３による圧縮率設定の状態が表示パネル１０に表示される。
【００１５】
図４は、上述したように動作が行われるデジタルスチルカメラ１において、撮影されて画像処理された画像データが、記録媒体３４に記録されるときに付与されるデータの名称を説明する図である。図４はディレクトリ・ツリーと呼ばれるもので、パソコン（ＰＣ）で管理されるデータファイルの構造を示すものである。デジタルカメラで記録された画像データの記録形式は、パソコンで画像データを処理したり、パソコンを介して記録画像をプリンタに出力できるように、パソコンで管理されるデータの形式に合致していることが望ましい。そこで、デジタルカメラで記録された画像データの名称は、図４に示すルートディレクトリ１００の下に「ＤＣＩＭ」というディレクトリ１１０を付与することにより区別することが定められている。
【００１６】
上述したディレクトリ１１０の下に設けられる画像データ名１２０の付与方法について説明する。図４に示すように画像データ名１２０は、複数設けることが可能なサブディレクトリ１３０と、各々のサブディレクトリ１３０の下に設けられるファイル名１４０とで構成される。これらの構造は、ＤＯＳと呼ばれるパソコンなどの記憶装置を扱うシステムで使用されている構造に一致させている。また、パソコンの基本プログラム（ＯＳ）には、ディレクトリをフォルダと呼ぶものもある。
【００１７】
図５はサブディレクトリ１３０を説明する図である。サブディレクトリ１３０は数値部１３１と名称部１３２とで構成される。数値部１３１は整数が与えられ、たとえば、３桁の整数として１００〜９９９の９００個が割り当てられる。そして、サブディレクトリ１３０を新しく作成するごとに、数値部１３１の値が＋１され、連続番号で与えられる。すなわち、最初に作成されるサブディレクトリ１３０の数値部１３１の値は１００であり、以降作成されるサブディレクトリ１３０の数値部１３１の値は、１０１、１０２、…、９９９と増えていく。
【００１８】
一方、名称部１３２は５文字以内のアルファベットや数字、記号で作られる。名称部１３２は、サブディレクトリ１３０ごとに変えてもよいし、同じものでもよい。上述したように数値部１３１がサブディレクトリ１３０ごとに異なるので、名称部１３２が同じ名称であっても別のサブディレクトリ１３０であることが識別される。
【００１９】
図６はファイル名１４０を説明する図である。ファイル名１４０はヘッダ部１４１と数値部１４２、および拡張子１４３とで構成される。ヘッダ部１４１には、４桁のアルファベット文字が与えられる。たとえば、「ＤＳＣＮ」とすることにより、ファイル名１４０によるデータがデジタルスチルカメラ１で記録された画像データであることを示している。数値部１４２には４桁の整数が与えられ、たとえば、０００１から９９９９の連続した番号で９９９９個が割り当てられる。そして、ファイルが新たに作成されるごとに、数値部１４２の値が＋１される。すなわち、一つのサブディレクトリ１３０の下に最初に作成されるファイル名１４０の数値部１４２の値は０００１であり、以降作成されるファイル名１４０の数値部１４２の値は、０００２、０００３、…、９９９９まで連続して与えられる。
【００２０】
拡張子「ＪＰＧ」１４３は、ファイル名１４０による画像データが、ＪＰＥＧ形式により圧縮された画像データであることを示すものである。以上説明したように、デジタルカメラで記録した画像データに対して、サブディレクトリ１３０とファイル名１４０とからなる名称を与えることにより、パソコンで処理できるような形態にする。
【００２１】
次に、デジタルカメラ１において、撮影した画像データに対して上述したような画像データ名が付与される動作を説明する。図７はデジタルスチルカメラ１のＬＣＤモニター３に表示されるメニュー設定画面を説明する図である。図１のメニューボタン１６が押されると、図７(a)のようなメニュー設定画面がデジタルスチルカメラ１のＬＣＤモニター３に表示される。選択ダイヤル１７またはズーム切換ボタン１４（メニュー設定モード中は選択スイッチとして機能する）が操作されることにより、メニューの中から「フォルダ設定」の項目が選択される。レリーズボタン９（メニュー設定モード中は選択決定スイッチとして機能する）が押されて「フォルダ設定」項目が選択決定されると、図７(b)のようなフォルダ設定に関するメニュー設定画面がＬＣＤモニター３に表示される。デジタルスチルカメラ１においてフォルダとは、撮影した画像データの数量が多いときに画像データを関連したデータごとに分類できるように設けられるグループである。
【００２２】
このとき、デジタルスチルカメラ１に備えられているメモリカードなどの記録媒体３４に備わっている固有の記録容量（未使用状態での記録容量）が、所定の容量よりも少ないときはフォルダ設定に関するメニューを選択することはできない。記録媒体３４に十分な記録容量がない場合は分類を必要とするほどの撮影を行うことができないので、フォルダ設定に関するメニューが選択できないように、デジタルスチルカメラ１の機能が制限されている。
【００２３】
デジタルカメラ１に十分な容量の記録媒体３４が備えられているときに、図７(b)の画面上で「フォルダ作成」の項目が選択ダイヤル１７またはズーム切換ボタン１４が操作されることにより選択され、レリーズボタン９が押されて選択決定されると、図８(a)のようなフォルダ作成に関するメニュー設定画面がＬＣＤモニター３に表示されてフォルダ作成が行われる。図８(a)はこの状態を示した図であり、作成されているフォルダ名「ＡＢＣ」２３２が、上述したサブディレクトリ１３０の中の名称部１３２に相当する。すなわち、選択ダイヤル１７により５文字以内のアルファベットや数字、記号が選ばれ、レリーズボタン９が押されて選択決定されると、そのときのフォルダ名２３２が設定される。
【００２４】
フォルダ名２３２が設定されると、これを自動的にサブディレクトリ１３０ａの名称部１３２ａとする（図８(b)）。そして、その他に設定されているサブディレクトリ１３０があるか否かを調べる。既設のサブディレクトリ１３０があると判定されたときは、その数値部１３１の最大値に＋１をして新たに設定中の数値部１３１ａとする。たとえば、「１００＊＊＊＊＊」〜「１０４＊＊＊＊＊」が既設であるときは、「１０５」を数値部１３１ａとする。一方、既設のサブディレクトリ１３０がないと判定されたときは、最初に設定されるサブディレクトリ１３０であることを示す「１００」が数値部１３１ａに設定される。
【００２５】
以上の説明では、フォルダを新たに作成する場合を説明したが、既設のフォルダ名２３２を設定する場合は、図７(b)のフォルダ設定画面上で「フォルダ選択」の項目を選び、表示される既設のフォルダ名の中から選択する。フォルダ名２３２を変更する場合は、図７(b)のフォルダ設定画面上で「フォルダ名称変更」を選択して、サブディレクトリ１３０ａの数値部１３１ａはそのまま変更せずに名称部１３２ａのみを変更する。また、フォルダ名２３２を削除する場合は、図７(b)のフォルダ設定画面上で「フォルダ削除」を選択して、削除したい名称部１３２ａを有する全てのサブディレクトリ１３０を削除する。
【００２６】
図７(b)のフォルダ設定メニューにより、上述したサブディレクトリ１３０が設定されないときは、デジタルスチルカメラ１が、たとえば「１００ＮＩＫＯＮ」をサブディレクトリ１３０として設定する。これは、サブディレクトリ１３０のデフォルト値であり、数値部１３１には最初に設定されるサブディレクトリを示す「１００」が設定され、名称部１３２には所定の記号が設定される。
【００２７】
図７(b)において、選択ダイヤル１７またはズーム切換ボタン１４によりフォーマットの項目が選択され、レリーズボタン９が押されて選択決定されると、図９(a)のような記録媒体３４に対して初期化を行うフォーマットメニュー画面が表示される。初期化モードには２つのモードがあり、上述したサブディレクトリ１３０とファイル名１４０と画像データとを全て削除する「全削除」モードと、サブディレクトリ１３０を一旦デジタルスチルカメラ１内のメモリ３０に移して保存しておき、記録媒体３４内のサブディレクトリ１３０とファイル名１４０と画像データを全て削除してから、メモリ３０に移しておいたサブディレクトリ１３０のみ作成し直す「フォルダ構造を残す」モードとがあり、いずれかを選択して初期化を行う。
【００２８】
たとえば、図９(a)の画面が表示されているときに選択ダイヤル１７またはズーム切換ボタン１４により「フォルダ構造を残す」項目が選択され、レリーズボタン９が押されて選択決定されたときは、図９(b)のように記録媒体３４に対して初期化を実行する画面が表示される。選択ダイヤル１７またはズーム切換ボタン１４により「フォーマットする」が選択され、レリーズボタン９が押されて選択決定されると、デジタルスチルカメラ１はフォルダ構造を残すように記録媒体３４に対する初期化を実行する。
【００２９】
続いて、上述したように作成されたフォルダ名２３２ごとに付与されるファイル名１４０について説明する。ファイル名１４０のうちヘッダ部１４１は、たとえば、画像データを記録するデジタルカメラに関する情報として使用される。この実施の形態ではデジタルスチルカメラ１を使用するので、「ＤＳＣＮ」が設定される。
【００３０】
数値部１４２は、作成されたフォルダ名２３２ごとに０００１から順に連続して付与される番号である。たとえば、新たに作成されたフォルダ名２３２に最初の画像データを記録するようにデジタルスチルカメラ１が操作されたときは、数値部１４２に０００１が設定され、画像データが記録される。画像データが記録されたとき、フォルダ名２３２に対応するサブディレクトリ１３０ａと、記録したファイル名１４０の数値部１４２の最大値とがデジタルスチルカメラ１内にバックアップされる。以降、同じフォルダ名２３２の中に画像データが記録されるときは、記録されるコマ数に応じてバックアップされた数値部１４２の最大値が＋１ずつ進められ、画像データが記録される。数値部１４２は、一つのサブディレクトリ１３０ａの下に最大９９９９まで設定可能であるが、フォルダ名２３２は、数値部１４２の値が９９９９に達しなくても新たに設定することができる。この場合、新たに設けられたフォルダ名２３２には、数値部１４２が０００１から連続した番号で与えられる。
【００３１】
数値部１４２の最大値が９９９９であり、さらに、同一のフォルダ２３２の中に新たな画像データを記録するように操作されたときは、名称部１３２が同一で、数値部１３１の値を＋１とするフォルダを新たに作成する。すなわち、「１０５ＡＢＣ」を「１０６ＡＢＣ」とする。なお、以上の説明では数値部１４２の上限を９９９９としたが、たとえば、ユーザの好みに応じて上限値を００９９のように変更可能にするのが好ましい。
【００３２】
拡張子１４３は画像データの圧縮形式に基づいて付与される。この実施の形態によるデジタルスチルカメラ１では、ＪＰＥＧ形式による圧縮データとして記録されるので、拡張子１４３として「ＪＰＧ」が付与される。以上説明したように画像データに付与されたデータ名は、たとえば、図８(c)に示すようにデジタルスチルカメラ１のＬＣＤモニター３に表示される。図において５０は、リアルタイムクロック３５（図３）により得られたタイム情報である。
【００３３】
この実施の形態のデジタルスチルカメラ１において、画像データファイル名を付与する動作を図１０のフロ−チャートを参照して説明する。ステップＳ１でメニューボタン１６によりメニュー処理が起動されると、図７(a)のようにメニュー設定画面がＬＣＤモニター３に表示される（ステップＳ２）。メニュー設定は、たとえば「露出補正」のようにカメラ機能を詳細に設定するために行う処理である。「フォルダ設定」の項目が選択されると（ステップＳ３）、ＣＰＵ２１はデジタルスチルカメラ１にセットされている記録媒体３４に固有の記録容量をチェックし（ステップＳ４）、所定値以上と判定したときは図７(b)のフォルダ設定画面によるフォルダ設定処理を行う（ステップＳ５）。
【００３４】
ステップＳ６では設定されているサブディレクトリ１３０があるか否かをチェックし、設定されていると判定されたときは、バックアップされているサブディレクトリ１３０が読み出される（ステップＳ７）。なお、サブディレクトリ１３０は、画像データが記録されるとき、番号部１４０の数値部１４２の最大値とともにＣＰＵ２１にバックアップされる。ステップＳ８ではバックアップされている数値部１４２を読み出す。読み出されたサブディレクトリ１３０の中に１枚も画像データが記録されていないときは、数値部１４２のデフォルト値である「００００」が読み出される。
【００３５】
ステップＳ９で数値部１４２の値が最大値「９９９９」であるか否かを判定し、「９９９９」であると判定されたときは、名称部１３２が同一で、数値部１３１が「＋１」された新たなサブディレクトリ１３０が作成される（ステップＳ１０）。続いて、番号部１４０の数値部１４２に「００００」がセットされる（ステップＳ１１）。そして、メニュー処理が終了する（ステップＳ１２）。
【００３６】
上述したステップＳ３で「フォルダ設定」の項目が選択されないとき、ステップ１３で他の設定が行われるか否かがチェックされる。図７(a)の画面において、「露出補正」や「測光方式」などの他の項目が選択されたと判定されたときは、ステップＳ１４で選択された項目に応じた処理が行われ、ステップＳ１４の処理が終了されるとメニュー処理を終了する。一方、上述のステップＳ１３で他の項目が選択されないと判定されたときは、そのままメニュー処理を終了する。
【００３７】
また、上述したステップＳ４において、デジタルスチルカメラ１にセットされている記録媒体３４に固有の記録容量（未使用状態での記録容量）が所定値未満と判定されたときも、そのままメニュー処理を終了する。ステップＳ６において、設定されているサブディレクトリ１３０がないと判定されたときは、デフォルト値である「１００ＮＩＫＯＮ」をサブディレクトリ１３０にセットしてステップＳ８に進む。
【００３８】
上述したステップＳ９において、数値部１４２の最大値が「９９９９」でないと判定されたときは、ステップＳ１２へ進みメニューを終了する。
【００３９】
この実施の形態の作用効果について説明する。
（１）デジタルスチルカメラ１に備えられているメモリカードなどの記録媒体３４に備わっている固有の記録容量（未使用状態での記録容量）が、所定の容量よりも小さいときはフォルダ設定に関するメニューを選択できないようにした（ステップＳ４）。これにより、記録媒体３４に記録した画像データに対して分類が必要とされるほどの撮影枚数が得られないときにフォルダ設定を禁止し、記録媒体３４の記録領域が減少して撮影可能枚数が少なくなってしまうことを防止することができる。
（２）画像データ名１２０の構造をサブディレクトリ１３０とファイル名１４０とで構成し、パソコンなどの記憶装置を扱うシステムで使用される構造に一致させるようにしたので、デジタルカメラで記録された画像データをパソコン上で再生したり、プリンタに出力させることができるとともに、パソコンで作成したフォルダの中にデジタルカメラで画像データを記録することもできる。
（３）サブディレクトリ１３０は数値部１３１と名称部１３２とで構成され、数値部１３１の値が他のサブディレクトリの数値部１３１と重複しないように連番にしたので、サブディレクトリ１３０は数値部１３１によって特定することができる。そして、名称部１３２によりコメントをつけられるようにしたので、数値部１３１のみからは得られない画像データの情報を持たせることができ、画像データの分類作業が容易になるという効果を奏する。
（４）デジタルスチルカメラ１では図８(a)に示すように、上記サブディレクトリ１３０のうち名称部１３２のみを表示し、また、名称部１３２のみを作成可能としたので、撮影時は数値部１３１について意識する必要がなく、名称部１３２に相当するコメントなどを設定するだけでよいので、操作が簡単になるという効果を奏する。
（５）ファイル名１４０は図６に示すように、ヘッダ部１４１と数値部１４２と拡張子１４３とで構成され、ヘッダ部１４１に、たとえば、デジタルスチルカメラ１による画像データを示す情報を与えることができる。
（６）上記のファイル名１４０はサブディレクトリ１３０ごとに設けられるようにしたので、各々のサブディレクトリ１３０の下で各画像データに対して数値部１４２に０００１〜９９９９までの連続番号が付与される。画像データを記録するごとに、数値部１４２は自動的に＋１ずつ進められる。そして、数値部１４２の値が９９９９になると、名称部１３２が同一で、数値部１３１の値が＋１された新たなサブディレクトリ１３０が自動的に設定される。さらに、新たなサブディレクトリ１３０の中で各画像データに対して数値部１４２に０００１〜９９９９までの連続番号が付与されるようにしたから、撮影時に数値部１４２の最大値について意識する必要がなく、操作が簡単になるという効果を奏する。
（７）記録媒体３４を初期化するとき、サブディレクトリ１３０とファイル名１４０と画像データとを全て削除する初期化モードと、サブディレクトリ１３０を一旦保存しておいて、サブディレクトリ１３０とファイル名１４０と画像データとを全て削除してから再びサブディレクトリ１３０のみを作成する初期化モードとを選択できるようにしたので、サブディレクトリ１３０を残したまま画像データだけを削除したい場合でも、この動作を行うことができる。この結果、全てを削除してからサブディレクトリ１３０を作成しなおすことが不要になり、作業の効率がよくなるという効果を奏する。
【００４０】
以上の説明では、メモリカードなどの記録媒体３４に備わっている固有の記録容量（未使用状態での記録容量）が所定の容量よりも少ないとき、フォルダ設定に関するメニューを選択できないようにした。つまり、デジタルスチルカメラ１が有する複数の機能の中で、使用できる機能を記録媒体３４の固有の記録容量に基づいて変えるようにしたが、次のような機能を記録容量に応じて切替えてもよい。画像データを記録媒体３４に圧縮して記録する圧縮モードと圧縮せずに記録する非圧縮モードとを備えるカメラでは、記録媒体３４の未使用の記録容量が少ない場合には非圧縮モードによる記録形態を選択できないようにしてもよい。また、静止画像データと動画像データの双方を記録できるカメラでは、記録媒体３４の未使用の記録容量が少ない場合には動画像データを選択できないようにしてもよい。すなわち、非圧縮モードによる記録や動画像データの記録は、記録媒体３４の多くの記録領域を必要とするので、記録媒体３４の未使用の記録容量が所定量よりも少ないと判定されるときは、これらの機能が選択されることを禁止する。
【００４１】
以上の実施の形態では、デジタルスチルカメラについて説明したが、サブディレクトリ１３０の作成、名称変更、削除する処理を行うプログラムをＣＤ−ＲＯＭなどの記録媒体に格納し、パソコンで画像編集、メモリカード内のデータ整理などの処理をする際に同様に本発明を適用できる。この場合、デジタルスチルカメラで記録した画像データをパソコンで再生し、画像データ名であるディレクトリ１３０やファイル名１４０を変更することができる。
【００４２】
以上の説明はあくまで一例であり、上記の実施形態の構成に何ら限定されるものではない。
【図面の簡単な説明】
【００４３】
【図１】一実施の形態によるデジタルスチルカメラの収納時、および携帯時の外観を示す図で(a)が上から見た図、(b)が後ろから見た図である。
【図２】図１のカメラの通常撮影時の外観を示す図で(a)が前から見た図、(b)が上から見た図、(c)が後ろから見た図である。
【図３】一実施の形態によるデジタルスチルカメラの回路ブロックを示す図である。
【図４】画像データが記録媒体に記録されるときに付与されるデータ名称を説明する図である。
【図５】サブディレクトリ名を説明する図である。
【図６】ファイル名を説明する図である。
【図７】メニュー設定画面による設定動作を説明する図であり、(a)撮影メニュー画面、(b)フォルダ設定画面である。
【図８】メニュー設定画面による設定動作を説明する図であり、(a)フォルダ作成画面、(b)フォルダ名と画像データ名の対応を説明する図、(c)画像データ記録後のモニタ画面である。
【図９】メニュー設定画面による設定動作を説明する図であり、(a)フォーマットのモード選択画面、(b)フォルダ構造を残す初期化の実行画面である。
【図１０】画像データファイル名を付与する動作を説明するフローチャートである。
【符号の説明】
【００４４】
５０…タイム情報
１００…ルートディレクトリ
１１０…ディレクトリ
１２０…画像データ名
１３０、１３０ａ…サブディレクトリ
１３１、１３１ａ…数値部
１３２、１３２ａ…名称部
１４０、１４０ａ…ファイル名
１４１、１４１ａ…ヘッダ部
１４２、１４２ａ…数値部
１４３、１４３ａ…拡張子
２３２…フォルダ名
【図１】
0004803219.tif 000002
【図２】
0004803219.tif 000003
【図３】
0004803219.tif 000004
【図４】
0004803219.tif 000005
【図５】
0004803219.tif 000006
【図６】
0004803219.tif 000007
【図７】
0004803219.tif 000008
【図８】
0004803219.tif 000009
【図９】
0004803219.tif 000010
【図１０】
0004803219.tif 000011